(57)【要約】【課題】  絵柄が互いに組み合わされる複数の電子ペーパーに適切な位置および適切な向きで絵柄を容易に書き込むことができる絵柄表示装置および絵柄書込方法を提供する。【解決手段】  ジグソーパズルは、絵柄を表示する電子ペーパーをそれぞれ有し、表示中の絵柄が互いに組み合わされる複数のピースと、ピースに接触する接触面を有する台とを備え、台は、接触面に接触しているピースの識別情報を検出し（Ｓ１０１）、接触面に対するピースの位置および向きを検出し（Ｓ１０４）、接触面に接触しているピースの電子ペーパーに、Ｓ１０１において検出した識別情報に対応する絵柄を、Ｓ１０４において検出した位置および向きで書き込む（Ｓ１０５）ことを特徴とする。【選択図】  図８
2015085060.tif 000002
【特許請求の範囲】
【請求項１】
絵柄を表示する電子ペーパーをそれぞれ有し、表示中の絵柄が互いに組み合わされる複数の絵柄表示部品と、
前記絵柄表示部品に接触する部品接触面を有する絵柄書込装置とを備え、
前記絵柄書込装置は、
前記部品接触面に接触している前記絵柄表示部品の識別情報を検出する識別情報検出手段と、
前記部品接触面に対する前記絵柄表示部品の位置および向きを検出する位置向き検出手段と、
前記部品接触面に接触している前記絵柄表示部品の前記電子ペーパーに、前記識別情報検出手段によって検出された識別情報に対応する絵柄を、前記位置向き検出手段によって検出された位置および向きで書き込む絵柄書込手段とを備えることを特徴とする絵柄表示装置。
【請求項２】
前記絵柄書込手段は、全ての前記絵柄表示部品が前記部品接触面に接触している場合にのみ、前記絵柄表示部品の前記電子ペーパーに絵柄を書き込み可能であることを特徴とする請求項１に記載の絵柄表示装置。
【請求項３】
前記識別情報検出手段は、前記絵柄表示部品の形状に基づいて前記絵柄表示部品の識別情報を検出することを特徴とする請求項１または請求項２に記載の絵柄表示装置。
【請求項４】
前記位置向き検出手段は、前記絵柄表示部品の形状に基づいて前記絵柄表示部品の位置および向きを検出することを特徴とする請求項１から請求項３までの何れかに記載の絵柄表示装置。
【請求項５】
前記絵柄表示部品をピースとし、前記絵柄書込装置を台としたジグソーパズルであることを特徴とする請求項１から請求項４までの何れかに記載の絵柄表示装置。
【請求項６】
請求項１から請求項５までの何れかに記載の絵柄表示装置の前記絵柄書込装置であることを特徴とする絵柄書込装置。
【請求項７】
絵柄を表示する電子ペーパーをそれぞれ有し、表示中の絵柄が互いに組み合わされる複数の絵柄表示部品と、
前記絵柄表示部品に接触する部品接触面を有し、前記電子ペーパーに絵柄を書き込む絵柄書込装置とを備える絵柄表示装置の前記絵柄書込装置による絵柄書込方法であって、
前記部品接触面に接触している前記絵柄表示部品の識別情報を検出する識別情報検出ステップと、
前記部品接触面に対する前記絵柄表示部品の位置および向きを検出する位置向き検出ステップと、
前記部品接触面に接触している前記絵柄表示部品の前記電子ペーパーに、前記識別情報検出ステップによって検出された識別情報に対応する絵柄を、前記位置向き検出ステップによって検出された位置および向きで書き込む絵柄書込ステップとを備えることを特徴とする絵柄書込方法。
【発明の詳細な説明】
【技術分野】
【０００１】
本発明は、絵柄を表示する絵柄表示装置と、絵柄表示装置に絵柄を書き込む絵柄書込装置および絵柄書込方法とに関する。
【背景技術】
【０００２】
従来、絵柄を表示する電子ペーパーと、電子ペーパーに接触して電子ペーパーに絵柄を書き込む絵柄書込装置とを備える絵柄表示装置が知られている（例えば、特許文献１−５参照。）。
【先行技術文献】
【特許文献】
【０００３】
【特許文献１】特開２００２−７０６８号公報
【特許文献２】特開２００７−２０６８４６号公報
【特許文献３】特開２００９−２８８４２１号公報
【特許文献４】特開２００９−２８８４２２号公報
【特許文献５】特開２０１１−４３７７０号公報
【発明の概要】
【発明が解決しようとする課題】
【０００４】
しかしながら、従来の絵柄表示装置においては、複数の電子ペーパーの絵柄が互いに組み合わされる場合に、それぞれの電子ペーパーに適切な位置および適切な向きで絵柄を書き込む作業が容易ではないという問題がある。
【０００５】
そこで、本発明は、絵柄が互いに組み合わされる複数の電子ペーパーに適切な位置および適切な向きで絵柄を容易に書き込むことができる絵柄表示装置および絵柄書込方法を提供することを目的とする。
【課題を解決するための手段】
【０００６】
本発明の絵柄表示装置は、絵柄を表示する電子ペーパーをそれぞれ有し、表示中の絵柄が互いに組み合わされる複数の絵柄表示部品と、前記絵柄表示部品に接触する部品接触面を有する絵柄書込装置とを備え、前記絵柄書込装置は、前記部品接触面に接触している前記絵柄表示部品の識別情報を検出する識別情報検出手段と、前記部品接触面に対する前記絵柄表示部品の位置および向きを検出する位置向き検出手段と、前記部品接触面に接触している前記絵柄表示部品の前記電子ペーパーに、前記識別情報検出手段によって検出された識別情報に対応する絵柄を、前記位置向き検出手段によって検出された位置および向きで書き込む絵柄書込手段とを備えることを特徴とする。
【０００７】
この構成により、本発明の絵柄表示装置は、絵柄書込装置の部品接触面に接触している絵柄表示部品に、絵柄表示部品の識別情報に対応する絵柄を、部品接触面に対する絵柄表示部品の位置および向きで書き込むので、絵柄が互いに組み合わされる複数の電子ペーパーに適切な位置および適切な向きで絵柄を容易に書き込むことができる。
【０００８】
また、本発明の絵柄表示装置において、前記絵柄書込手段は、全ての前記絵柄表示部品が前記部品接触面に接触している場合にのみ、前記絵柄表示部品の前記電子ペーパーに絵柄を書き込み可能であっても良い。
【０００９】
この構成により、本発明の絵柄表示装置は、絵柄が互いに組み合わされる複数の電子ペーパーにおいて、絵柄の統一性が失われることを防止することができる。
【００１０】
また、本発明の絵柄表示装置において、前記識別情報検出手段は、前記絵柄表示部品の形状に基づいて前記絵柄表示部品の識別情報を検出しても良い。
【００１１】
この構成により、本発明の絵柄表示装置は、絵柄表示部品の識別情報の検出のための専用の部品を絵柄表示部品に備えなくても、絵柄表示部品の識別情報を検出することができるので、構造を簡略化することができる。
【００１２】
また、本発明の絵柄表示装置において、前記位置向き検出手段は、前記絵柄表示部品の形状に基づいて前記絵柄表示部品の位置および向きを検出しても良い。
【００１３】
この構成により、本発明の絵柄表示装置は、部品接触面に対する絵柄表示部品の位置および向きの検出のための専用の部品を絵柄表示部品に備えなくても、部品接触面に対する絵柄表示部品の位置および向きを検出することができるので、構造を簡略化することができる。
【００１４】
また、本発明の絵柄表示装置は、前記絵柄表示部品をピースとし、前記絵柄書込装置を台としたジグソーパズルであっても良い。
【００１５】
この構成により、本発明の絵柄表示装置は、絵柄書込装置が絵柄表示部品に絵柄を書き込む機能だけでなく、ジグソーパズルの台としても機能するので、ジグソーパズルの台を絵柄書込装置とは別に備える構成と比較して、構造を簡略化することができる。
【００１６】
本発明の絵柄書込装置は、上記の絵柄表示装置の前記絵柄書込装置であることを特徴とする。
【００１７】
これにより、本発明の絵柄書込装置は、部品接触面に接触している絵柄表示部品に、絵柄表示部品の識別情報に対応する絵柄を、部品接触面に対する絵柄表示部品の位置および向きで書き込むので、絵柄が互いに組み合わされる複数の電子ペーパーに適切な位置および適切な向きで絵柄を容易に書き込むことができる。
【００１８】
本発明の絵柄書込方法は、絵柄を表示する電子ペーパーをそれぞれ有し、表示中の絵柄が互いに組み合わされる複数の絵柄表示部品と、前記絵柄表示部品に接触する部品接触面を有し、前記電子ペーパーに絵柄を書き込む絵柄書込装置とを備える絵柄表示装置の前記絵柄書込装置による絵柄書込方法であって、前記部品接触面に接触している前記絵柄表示部品の識別情報を検出する識別情報検出ステップと、前記部品接触面に対する前記絵柄表示部品の位置および向きを検出する位置向き検出ステップと、前記部品接触面に接触している前記絵柄表示部品の前記電子ペーパーに、前記識別情報検出ステップによって検出された識別情報に対応する絵柄を、前記位置向き検出ステップによって検出された位置および向きで書き込む絵柄書込ステップとを備えることを特徴とする。
【００１９】
この構成により、本発明の絵柄書込方法は、絵柄書込装置の部品接触面に接触している絵柄表示部品に、絵柄表示部品の識別情報に対応する絵柄を、部品接触面に対する絵柄表示部品の位置および向きで書き込むので、絵柄が互いに組み合わされる複数の電子ペーパーに適切な位置および適切な向きで絵柄を容易に書き込むことができる。
【発明の効果】
【００２０】
本発明の絵柄表示装置および絵柄書込方法は、絵柄が互いに組み合わされる複数の電子ペーパーに適切な位置および適切な向きで絵柄を容易に書き込むことができる。
【図面の簡単な説明】
【００２１】
【図１】本発明の一実施の形態に係る絵柄表示システムの構成を示すブロック図である。
【図２】図１に示すジグソーパズルの分解斜視図である。
【図３】図２に示すピースの一部の側面断面図である。
【図４】図２に示す台の一部の側面断面図である。
【図５】図２に示す台の構成を示すブロック図である。
【図６】図５に示す適切配置情報４７ｂの一例を示す図である。
【図７】図２に示すピースの識別情報の一例を示す図である。
【図８】絵柄を書き換える場合の図２に示すジグソーパズルの動作のフローチャートである。
【図９】図８に示す動作によって絵柄が書き換えられる前のジグソーパズルの斜視図である。
【図１０】図８に示す動作によって絵柄が書き換えられた後のジグソーパズルの斜視図である。
【発明を実施するための形態】
【００２２】
以下、本発明の一実施の形態について、図面を用いて説明する。
【００２３】
まず、本実施の形態に係る絵柄表示システムの構成について説明する。
【００２４】
図１は、本実施の形態に係る絵柄表示システム１０の構成を示すブロック図である。
【００２５】
図１に示すように、絵柄表示システム１０は、本発明の絵柄表示装置としてのジグソーパズル２０と、ジグソーパズル２０に絵柄を入力するスマートフォンなどのコンピューター５０と、ジグソーパズル２０用の複数の絵柄を記憶しているサーバー６０とを備えている。ジグソーパズル２０と、コンピューター５０とは、Ｂｌｕｅｔｏｏｔｈ（登録商標）などの近距離通信によって通信可能である。コンピューター５０と、サーバー６０とは、ＬＡＮ（Ｌｏｃａｌ  Ａｒｅａ  Ｎｅｔｗｏｒｋ）、インターネットなどのネットワーク１１を介して通信可能である。
【００２６】
図２は、ジグソーパズル２０の分解斜視図である。
【００２７】
図２に示すように、ジグソーパズル２０は、表示中の絵柄が互いに組み合わされる複数のピース３０と、複数のピース３０を載置する台４０とを備えている。
【００２８】
ピース３０は、絵柄を表示する電子ペーパーであり、本発明の絵柄表示部品を構成している。
【００２９】
台４０は、ピース３０に絵柄を書き込む装置であり、本発明の絵柄書込装置を構成している。台４０は、ピース３０に接触する部品接触面としての接触面４１と、ピース３０を囲む額部４２とを備えている。台４０は、商用電源または電池によって電力が供給される。
【００３０】
図３は、ピース３０の一部の側面断面図である。
【００３１】
図３に示すように、ピース３０は、絵柄の表示面側に配置された透明な例えばプラスチック製のフィルム層３１と、電場が加えられることによってフィルム層３１側の色が変わるインク層３２と、インク層３２に対してフィルム層３１とは反対側を覆う例えばプラスチック製のフィルム層３３とを備えている。ピース３０は、後述するドライバー層を備えていないので、通常の紙製のジグソーパズルのピースと同程度に薄い。
【００３２】
図４は、台４０の一部の側面断面図である。
【００３３】
図４に示すように、台４０の額部４２は、絵柄の表示面側に配置された透明な例えばプラスチック製のフィルム層４３と、電場が加えられることによってフィルム層４３側の色が変わるインク層４４と、インク層４４に対してフィルム層４３とは反対側に配置されてインク層４４に電場を加えるドライバー層４５とを備えている。また、台４０のうち接触面４１が形成されている部分は、ドライバー層４５のみによって構成されている。
【００３４】
図５は、台４０の構成を示すブロック図である。
【００３５】
図５に示すように、台４０は、ドライバー層４５と、コンピューター５０と近距離通信を行う近距離通信部４６と、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの記憶デバイスである記憶部４７と、台４０全体を制御する制御部４８とを備えている。
【００３６】
記憶部４７は、制御部４８によって実行される絵柄書込プログラム４７ａを記憶している。
【００３７】
また、記憶部４７は、接触面４１に対してピース３０が適切な位置および適切な向きに配置された場合のピース３０のそれぞれの配置をベクトルで示す適切配置情報４７ｂを記憶している。
【００３８】
適切配置情報４７ｂについて説明する。
【００３９】
図６は、適切配置情報４７ｂの一例を示す図である。
【００４０】
図６に示すように、適切配置情報４７ｂは、ピース３０の識別情報と、ピース３０の配置を示す配置情報との組み合わせの情報である。
【００４１】
配置情報は、例えば、接触面４１の四隅のうちの特定の一箇所を原点とした座標によって、ピース３０の輪郭を複数のベクトルによって表した情報である。例えば、図６において、識別情報が“001”であるピース３０の配置情報の一行目の「(0,0)〜(0,40)」は、始点の座標が(0,0)であって終点の座標が(0,40)であるベクトルを示している。
【００４２】
図７は、ピース３０の識別情報の一例を示す図である。
【００４３】
図７に示すように、ピース３０には、識別情報が付与されている。例えば、図７において、左上のピース３０の識別情報は、“001”である。識別情報は、ピース３０毎に付与される製造番号であっても良いし、ピース３０のそれぞれを識別することができれば製造番号以外の任意の情報であっても良い。
【００４４】
図５に示すように、記憶部４７は、近距離通信部４６を介して受信した絵柄を示す絵柄情報４７ｃを記憶することが可能である。
【００４５】
制御部４８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部４７に記憶されているプログラムを実行する。
【００４６】
制御部４８は、記憶部４７に記憶されている絵柄書込プログラム４７ａを実行することによって、接触面４１に接触しているピース３０の識別情報を検出する識別情報検出手段４８ａ、および、接触面４１に対するピース３０の位置および向きを検出する位置向き検出手段４８ｂとして機能する。また、制御部４８は、記憶部４７に記憶されている絵柄書込プログラム４７ａを実行することによって、接触面４１に接触しているピース３０に、識別情報検出手段４８ａによって検出された識別情報に対応する絵柄を、位置向き検出手段４８ｂによって検出された位置および向きで書き込む絵柄書込手段４８ｃとして機能する。
【００４７】
次に、絵柄表示システム１０の動作について説明する。
【００４８】
ジグソーパズル２０の利用者は、コンピューター５０を操作することによって、サーバー６０上の任意の絵柄を有償または無償でネットワーク１１を介してコンピューター５０にダウンロードさせることができる。
【００４９】
そして、利用者は、コンピューター５０にダウンロードされるなどして記憶されている絵柄を、コンピューター５０を操作することによって、ジグソーパズル２０に対して近距離通信によってコンピューター５０に送信させることができる。
【００５０】
図８は、絵柄を書き換える場合のジグソーパズル２０の動作のフローチャートである。
【００５１】
ジグソーパズル２０の制御部４８は、近距離通信によって絵柄が送信されてくると、図８に示す動作を実行する。
【００５２】
図８に示すように、制御部４８の識別情報検出手段４８ａは、接触面４１に接触しているピース３０の識別情報を検出する（Ｓ１０１）。例えば、識別情報検出手段４８ａは、全てのピース３０が互いに形状が異なる場合に、接触面４１にタッチセンサーが設置されているとき、接触面４１に接触しているピース３０の形状を、ピース３０の接触によるタッチセンサーの検出結果に基づいて判断する。次いで、識別情報検出手段４８ａは、判断した形状と、適切配置情報４７ｂにおけるピース３０の配置情報に基づいたピース３０の形状とに基づいて、この配置情報に適切配置情報４７ｂにおいて対応付けられた識別情報を検出することができる。また、識別情報検出手段４８ａは、ピース３０の識別情報の検出のための専用の部品、例えば、ピース３０の識別情報の検出のための情報（例えばピース３０の識別情報自体など）を記憶しているＩＣチップがピース３０に備えられていて、ＩＣチップのリーダーが接触面４１に設置されている場合に、ピース３０の識別情報の検出のための情報を接触面４１のリーダーによってピース３０のＩＣチップから読み取ることによって、接触面４１に接触しているピース３０の識別情報を検出することもできる。
【００５３】
絵柄書込手段４８ｃは、Ｓ１０１の処理が終了すると、Ｓ１０１において検出された識別情報に基づいて、全てのピース３０が接触面４１に接触しているか否かを判断する（Ｓ１０２）。ここで、絵柄書込手段４８ｃは、Ｓ１０１において検出された全ての識別情報と、適切配置情報４７ｂにおいて設定されている全ての識別情報とが一致する場合に、図９に示すように全てのピース３０が接触面４１に接触していると判断する。
【００５４】
絵柄書込手段４８ｃは、全てのピース３０が接触面４１に接触しているとＳ１０２において判断すると、コンピューター５０から近距離通信によって送信されてきた絵柄を受信して、この絵柄を示す絵柄情報４７ｃを記憶部４７に上書きで記憶する（Ｓ１０３）。
【００５５】
位置向き検出手段４８ｂは、Ｓ１０３の処理が終了すると、接触面４１に対するピース３０の位置および向きを検出する（Ｓ１０４）。例えば、位置向き検出手段４８ｂは、接触面４１にタッチセンサーが設置されている場合に、接触面４１に接触しているピース３０の形状を、ピース３０の接触によるタッチセンサーの検出結果に基づいて判断する。次いで、位置向き検出手段４８ｂは、判断した形状と、適切配置情報４７ｂにおけるピース３０の配置情報に基づいたピース３０の形状とに基づいて、この配置情報に適切配置情報４７ｂにおいて対応付けられたピース３０が接触面４１に対して何れの位置に、何れの向きで配置されているかを検出することができる。
【００５６】
絵柄書込手段４８ｃは、Ｓ１０４の処理が終了すると、ドライバー層４５を制御することによって、Ｓ１０１において検出された識別情報に対応する絵柄を、Ｓ１０４において検出された位置および向きで書き込む（Ｓ１０５）。ここで、絵柄書込手段４８ｃは、記憶部４７上の絵柄情報４７ｃによって示される絵柄から、事前に設定されている額部４２に相当する範囲を除いた残りの絵柄を生成し、生成した絵柄のうち、Ｓ１０１において検出された識別情報に対して適切配置情報４７ｂにおいて対応付けられている配置情報によって示される範囲の絵柄を、Ｓ１０１において検出された識別情報に対応する絵柄として取得する。そして、絵柄書込手段４８ｃは、取得した絵柄を、Ｓ１０４において検出された位置および向きで書き込む。したがって、接触面４１に接触しているピース３０には、適切な位置および適切な向きで絵柄が書き込まれる。
【００５７】
絵柄書込手段４８ｃは、Ｓ１０５の処理が終了すると、ドライバー層４５を制御することによって、絵柄を額部４２に書き込む（Ｓ１０６）。すなわち、記憶部４７上の絵柄情報４７ｃによって示される絵柄のうち、事前に設定されている額部４２に相当する範囲の絵柄を、額部４２の位置に書き込む。
【００５８】
したがって、ジグソーパズル２０によって表示される絵柄は、Ｓ１０５およびＳ１０６の処理によって、例えば図９に示す絵柄から図１０に示す絵柄に書き換えられる。
【００５９】
絵柄書込手段４８ｃは、接触面４１に接触していないピース３０が存在するとＳ１０２において判断するか、Ｓ１０６の処理を終了すると、図８に示す動作を終了する。
【００６０】
なお、ピース３０は、電子ペーパーであるので、絵柄を表示し続けるための電力は不要である。したがって、ピース３０は、台４０の接触面４１に接触している状態で絵柄が書き込まれた後、台４０から取り外されたとしても、絵柄の表示を維持し続けることができる。
【００６１】
以上に説明したように、ジグソーパズル２０は、絵柄が書き換えられることが可能であるので、絵柄が書き換えられることによって、利用者に飽きずに何度も遊ばれることができる。
【００６２】
ジグソーパズル２０は、台４０の接触面４１に接触しているピース３０に、ピース３０の識別情報に対応する絵柄を、接触面４１に対するピース３０の位置および向きで書き込む（Ｓ１０５）ので、絵柄が互いに組み合わされる複数のピース３０に適切な位置および適切な向きで絵柄を容易に書き込むことができる。
【００６３】
ジグソーパズル２０は、全てのピース３０が接触面４１に接触している場合にのみ（Ｓ１０２でＹＥＳ）、ピース３０に絵柄を書き込み可能である（Ｓ１０５）ので、絵柄が互いに組み合わされる複数のピース３０において、絵柄の統一性が失われることを防止することができる。ジグソーパズル２０は、ピース３０の組み立ての際に絵柄が重要な役割を果たすので、絵柄の統一性が失われることを防止する有益性が高い。特に、全てのピース３０が特定の配列（例えば、ジグソーパズルが組み立てられる配列）で接触面４１に接触している場合に、絵柄の統一性が失われることを防止する有益性が高い。
【００６４】
ジグソーパズル２０は、人の手によってピース３０同士を組み立てるものであるので、人の手によってピース３０同士を組み立てたり、取り外したりすることが容易であるように、ピース３０同士が組み立てられた状態であっても、ピース３０同士の間に微小な隙間が発生するように形成されている。すなわち、ジグソーパズル２０は、全てのピース３０が接触面４１に接触している場合であっても、ピース３０のそれぞれの位置および向きは、適切配置情報４７ｂにおいて定められている理想的な位置および向きから微小のずれが生じることがある。したがって、ジグソーパズル２０は、全てのピース３０が接触面４１に接触している場合にのみ、ピース３０に絵柄を書き込み可能であったとしても、接触面４１に対するピース３０の適切な位置および適切な向きで絵柄を書き込む有益性が高い。
【００６５】
なお、ジグソーパズル２０は、全てのピース３０が接触面４１に接触していなくても、接触面４１に接触しているピース３０に絵柄を書き込み可能であっても良い。ジグソーパズル２０は、全てのピース３０が接触面４１に接触していなくても、接触面４１に接触しているピース３０に絵柄を書き込み可能である場合、ピース３０への絵柄の書き込みの際に接触面４１に対するピース３０の位置および向きが適切配置情報４７ｂにおいて定められている理想的な位置および向きから大幅にずれている可能性が高い。このため、接触面４１に対するピース３０の適切な位置および適切な向きで絵柄を書き込む有益性が特に高い。
【００６６】
ジグソーパズル２０は、Ｓ１０１においてピース３０の形状に基づいてピース３０の識別情報を検出する構成である場合、ピース３０の識別情報の検出のための専用の部品をピース３０に備えなくても、ピース３０の識別情報を検出することができるので、構造を簡略化することができる。
【００６７】
ジグソーパズル２０は、Ｓ１０４においてピース３０の形状に基づいてピース３０の位置および向きを検出する構成である場合、接触面４１に対するピース３０の位置および向きの検出のための専用の部品をピース３０に備えなくても、接触面４１に対するピース３０の位置および向きを検出することができるので、構造を簡略化することができる。
【００６８】
ジグソーパズル２０は、台４０がピース３０に絵柄を書き込む機能だけでなく、組み立てられたピース３０を収納する台としても機能するので、組み立てられたピース３０を収納する台を台４０とは別に備える構成と比較して、構造を簡略化することができる。
【００６９】
なお、ジグソーパズル２０は、台４０がピース３０に絵柄を書き込む機能だけを備えていて、組み立てられたピース３０を収納する台を、台４０とは別に備えていても良い。
【００７０】
本発明の絵柄表示装置は、本実施の形態においてジグソーパズルであるが、複数の絵柄表示部品の絵柄が互いに組み合わされるものであれば、ジグソーパズル以外のものに適用されることが可能である。例えば、本発明の絵柄表示装置は、複数の絵柄表示部品の絵柄が互いに立体的に組み合わされるペーパークラフトや、例えばＡ４サイズなどの小さな複数の絵柄が互いに組み合わされることによって例えばＡ１サイズなどの大きな絵柄が完成させられるポスターなどに適用されることが可能である。
【符号の説明】
【００７１】
２０  ジグソーパズル（絵柄表示装置）
３０  ピース（絵柄表示部品）
４０  台（絵柄書込装置）
４１  接触面（部品接触面）
４８ａ  識別情報検出手段
４８ｂ  位置向き検出手段
４８ｃ  絵柄書込手段
【図１】
2015085060.tif 000003
【図２】
2015085060.tif 000004
【図３】
2015085060.tif 000005
【図４】
2015085060.tif 000006
【図５】
2015085060.tif 000007
【図６】
2015085060.tif 000008
【図７】
2015085060.tif 000009
【図８】
2015085060.tif 000010
【図９】
2015085060.tif 000011
【図１０】
2015085060.tif 000012